(57)【特許請求の範囲】
【請求項１】
異物が搬送される搬送ベルト上で回転する円筒状のローラと、
前記ローラの外周面に立設され、前記ローラの回転により異物に突き刺さらせる複数の針であり、先端が前記ローラの回転方向を向くように中途部の１箇所で１方向に曲折され、かつ弾性変形可能な針と
を有し、前記針は弾性変形した状態でその先端が前記搬送ベルトの表面に接触して前記搬送ベルトの進行方向に沿って進行するように前記ローラが回転する異物除去装置。
【請求項２】
前記針の先端部に接触して前記針に突き刺された異物を除去する脱離手段を有する請求項１記載の異物除去装置。
【請求項３】
前記脱離手段は、回転するブラシである請求項２記載の異物除去装置。
【請求項４】
前記ブラシは前記ローラの回転軸と平行な軸回りに、前記ローラと逆方向に回転するものである請求項３記載の異物除去装置。
【請求項５】
異物が搬送される搬送ベルト上で回転する円筒状のローラであって、先端が当該ローラの回転方向を向くように中途部の１箇所で１方向に曲折され、かつ弾性変形可能な複数の針が外周面に立設され、前記針は弾性変形した状態でその先端が前記搬送ベルトの表面に接触して前記搬送ベルトの進行方向に沿って進行するように回転するローラの回転により、前記複数の針に異物を突き刺さらせることを特徴とする異物除去方法。
【発明の詳細な説明】
【技術分野】
【０００１】
本発明は、プラスチックや金属等の硬質の物に混入されたパテ類、接着剤、発泡スチロールやスポンジ等の軟質の異物を除去する異物除去装置および異物除去方法に関する。
【背景技術】
【０００２】
廃プラスチックから異物を除去する装置として、たとえば特許文献１，２に記載のものが知られている。特許文献１に記載の装置は、廃プラスチック複合材を破砕して得られた１以上のプラスチック片および異物片の中から異物片を１以上の針で突き刺し、針に突き刺された異物片をプラスチック片から分離するものである。針に突き刺された異物片の分離は、針のみが通るようにスリットを切ったスリット板を降下させることにより行う。
【０００３】
また、特許文献２に記載の装置は、尖端を有する選別用錐と、選別用錐の尖端を被選別物に押圧する押圧手段と、押圧手段により尖端が圧入されて固着された被選別物を尖端から脱離させる脱離手段とを備えたものである。脱離手段は、選別用錐が正確に貫通できるように所定の間隔で貫通孔が設けられた脱離板により構成されており、選別用錐の尖端に固着された天然ゴムは脱離板が下降されることにより、選別用錐の尖端から脱離される。
【先行技術文献】
【特許文献】
【０００４】
【特許文献１】特開２００５−２８０１９７号公報
【特許文献２】特開２００６−２１２６２３号公報
【発明の概要】
【発明が解決しようとする課題】
【０００５】
上記特許文献１，２に記載の装置では、針を上下に移動させて異物除去を行うため、異物除去の際には対象物を搬送するコンベア装置を一旦停止して行う必要があり、処理量が少なくなってしまう。
【０００６】
そこで、本発明においては、多くの処理量で異物を除去することが可能な異物除去装置および異物除去方法を提供することを目的とする。
【課題を解決するための手段】
【０００７】
本発明の異物除去装置は、回転する円筒状のローラと、ローラの外周面に立設され、ローラの回転により異物に突き刺さらせる複数の針であり、中途部で曲折され、かつ弾性変形可能な針とを有するものである。また、本発明の異物除去方法は、中途部で曲折され、かつ弾性変形可能な複数の針が外周面に立設された円筒状のローラの回転により、前記複数の針に異物を突き刺さらせることを特徴とする。
【０００８】
本発明によれば、ローラの外周面に立設された針が、中途部で曲折され、かつ弾性変形可能であるため、この針が、ローラの回転により異物に押しつけられた際に、針の曲折方向に弾性変形することで押圧力を得て、異物に突き刺さる。これにより、異物を針に突き刺して除去することができる。
【０００９】
ここで、針は、ローラの回転方向に曲折されたものであることが望ましい。これにより、ローラの回転により異物に押しつけられた際に、針の先端が異物に突き立てられるようになり、異物がしっかりと針に突き刺さる。なお、ローラの回転方向と逆方向に曲折されている場合には、針の先端が異物から逃げる方向に弾性変形することになるため、押圧力が弱くなる。
【００１０】
また、本発明の異物除去装置は、針の先端部に接触して針に突き刺された異物を除去する脱離手段を有することが望ましい。これにより、針の先端部に脱離手段が接触した状態でローラが回転することから、針に突き刺された異物はこの脱離手段により針から掻き出され、脱離される。
【００１１】
なお、脱離手段は、回転するブラシであることが望ましい。これにより、脱離手段自身も回転するブラシであることから、針に突き刺された異物はローラの回転と相まって、ブラシにより効率良く掻き出される。
【００１２】
また、ブラシはローラの回転軸と平行な軸回りに、ローラと逆方向に回転するものであることが望ましい。これにより、針に突き刺された異物を、針の移動方向にブラシによって掻き出すことになり、異物が効率良く掻き出される。
【発明の効果】
【００１３】
（１）中途部で曲折され、かつ弾性変形可能な複数の針が外周面に立設された円筒状のローラの回転により、前記複数の針に異物を突き刺さらせる構成により、連続的に回転するローラにより多くの処理量で異物を除去することが可能となる。
【００１４】
（２）針がローラの回転方向に曲折されたものであることにより、ローラの回転により異物に押しつけられた際に、針の先端が異物に突き立てられ、異物がしっかりと針に突き刺さるので、異物の除去性能が向上する。
【００１５】
（３）針の先端部に接触して針に突き刺された異物を除去する脱離手段を有することにより、針の先端部に脱離手段が接触した状態でローラが回転し、針に突き刺された異物はこの脱離手段により針から連続的に掻き出され、脱離されるので、より多くの処理量で異物を除去することが可能となる。
【００１６】
（４）脱離手段が回転するブラシであることにより、針に突き刺された異物はローラの回転と相まって、異物が効率良く掻き出され、除去される。
【００１７】
（５）ブラシがローラの回転軸と平行な軸回りに、ローラと逆方向に回転するものであることにより、針に突き刺された異物が針の移動方向にブラシによって掻き出され、異物がさらに効率良く掻き出され、除去される。
【図面の簡単な説明】
【００１８】
【図１】本発明の実施の形態における異物除去装置を示す概略側面図である。
【図２】図１の異物除去装置のローラ表面の一部を示す斜視図である。
【図３】ローラ表面の針に突き刺された異物を回転ブラシにより除去する様子を示す説明図である。
【図４】本発明の異物除去装置の別の実施形態を示す概略側面図である。
【発明を実施するための形態】
【００１９】
図１は本発明の実施の形態における異物除去装置を示す概略側面図、図２は図１の異物除去装置のローラ表面の一部を示す斜視図、図３はローラ表面の針に突き刺された異物を回転ブラシにより除去する様子を示す説明図である。
【００２０】
図１に示すように、本発明の実施の形態における異物除去装置１は、プラスチックや金属等の硬質のリサイクル対象物Ｈおよびこれらのリサイクル対象物Ｈに混入されたパテ類、接着剤、発泡スチロールやスポンジ等の軟質の異物Ｓが搬送される搬送ベルト２上で回転する円筒状のローラ３を有する。ローラ３は、搬送ベルト２上の搬送面２ａに平行、かつ搬送ベルト２の進行方向Ｘに対して直角な方向の回転軸３ａを有する。
【００２１】
また、ローラ３の外周面には、複数の針４が立設された針布ベルト５が巻かれている。針４は、ステンレス鋼等の弾性材料により形成されたものであり、図２に示すように中途部で曲折され、かつ弾性変形可能となっている。ローラ３は、この針４の先端が搬送ベルト２の表面に接触して、搬送ベルト２の進行方向Ｘに沿って進行するように、回転軸３ａを中心として回転方向Ａに回転する。なお、針４は、その先端がローラ３の回転方向Ａを向くように曲折されている。
【００２２】
また、異物除去装置１は、針４に突き刺された異物Ｓを除去する脱離手段としての回転ブラシ６と、回転ブラシ６により除去された異物Ｓを回収する回収箱７とを有する。回転ブラシ６は、ローラ３の回転軸３ａと平行な軸６ａ回りに、ローラ３と逆方向（回転方向Ｂ）に回転するローラ６ｂの外周面に、ナイロン製のブラシ６ｃを設けたものである。回転ブラシ６は、針４の先端部に接触して、ローラ３よりも高速で回転するようになっている。
【００２３】
上記構成の異物除去装置１により、搬送ベルト２上で搬送される異物Ｓは、ローラ３の回転によりローラ３の外周面に立設された複数の針４に突き刺される。このとき、針４は搬送ベルト２上の異物Ｓに接触すると、針４の曲折方向に弾性変形し、その復元力により異物Ｓに対して押圧される。これにより、針４の先端が異物Ｓに突き立てられるようになり、針４は異物Ｓに突き刺さる。なお、針４は搬送ベルト２上のリサイクル対象物Ｈに接触した場合も同様に弾性変形するが、リサイクル対象物Ｈには突き刺さらない。
【００２４】
異物Ｓは針４に突き刺されたまま、ローラ３とともに回転し、搬送ベルト２上から除去される。そして、この針４に突き刺された異物Ｓは、針４の先端部にブラシ６ｃが接触した状態で回転する回転ブラシ６によって、図３に示すように針４から掻き出され、脱離される。脱離された異物Ｓは回収箱７内に落下し、回収箱７内に回収される。
【００２５】
このように、本実施形態における異物除去装置１では、ローラ３の外周面に立設された複数の針４が、中途部で曲折され、かつ弾性変形可能であるため、この針４が、ローラ３の回転により異物Ｓに押しつけられた際に、針４の曲折方向に弾性変形することで押圧力を得て、異物Ｓに突き刺さり、搬送ベルト２上から除去され、回収箱７内に回収される。この異物除去装置１では搬送ベルト２を停止させることなく、連続的にローラ３を回転させて異物Ｓを除去することができ、多くの処理量を実現できる。
【００２６】
また、この異物除去装置１では、針４がローラ３の回転方向に曲折されたものであるため、ローラ３の回転により異物Ｓに押しつけられた際に、針４の先端が異物Ｓに突き立てられるようになっており、異物Ｓがしっかりと針４に突き刺さる。したがって、異物Ｓの除去性能が向上しており、確実にリサイクル対象物Ｈと異物Ｓとを分別することが可能である。
【００２７】
また、この異物除去装置１では、回転ブラシ６により針４に突き刺された異物Ｓを除去する構成であるため、ローラ３の回転と相まって、針４に突き刺された異物Ｓはブラシ６ｃにより効率良く掻き出される。特に、この回転ブラシ６は、ローラ３の回転軸３ａと平行な軸回りに、ローラ３と逆方向に回転するものであることから、針４に突き刺された異物Ｓを、針４の移動方向にブラシ６ｃによって掻き出すことになり、異物Ｓが効率良く掻き出される。
【００２８】
なお、針４に突き刺された異物Ｓを除去する脱離手段として回転しないブラシを採用することも可能である。図４は本発明の異物除去装置の別の実施形態を示す概略側面図である。
【００２９】
図４に示す異物除去装置１０は、回転ブラシ６に代えて針４の先端部に接触する固定されたブラシ８と、ブラシ８により脱離された異物Ｓを回収箱７へ導くシュート９とを有している。このような構成においても、ブラシ８により針４に突き刺された異物Ｓを掻き出し、シュート９へ落下させて、回収箱７へ回収することが可能である。
【産業上の利用可能性】
【００３０】
本発明は、プラスチックや金属等の硬質のリサイクル可能な物に混入されたパテ類、接着剤、発泡スチロールやスポンジ等の軟質の異物を除去する異物除去装置および異物除去方法として有用である。
【符号の説明】
【００３１】
１，１０  異物除去装置
２  搬送ベルト
３  ローラ
４  針
５  針布ベルト
６  回転ブラシ
６ｃ  ブラシ
７  回収箱
８  ブラシ
９  シュート
【図１】
0005844036.tif 000002
【図２】
0005844036.tif 000003
【図３】
0005844036.tif 000004
【図４】
0005844036.tif 000005